(57)【要約】【課題】個人情報表示部分にスタンプを確実に正確に施せ、使い勝手が良く、個人情報を判読し難くでき、安定的に握り易く、筆記具としても利用でき、印面へのインクの補充が確実に、連続的に、安定的に、自動的に行え、スタンプがムラにならず、回転ローラーを確実にスムーズに回転でき、印面の変形・摩耗を抑制でき、耐久性が向上し、構成簡素で、量産し易く、低廉で、経済的な回転式スタンプ付筆記具を提供する。【解決手段】回転式スタンプ部Ａは、回転ローラー１と、滑り止め円板３と、これらを正逆回転自在に支持する軸２とからなり、筆記具本体Ｂの基端寄り内部に形成した補充体収容空間６に、インクが含侵可能となるインク補充体４を収容し、インク補充体４の先端部分は、回転式スタンプ部Ａの回転ローラー１の印面に常時接触すると共に、インク補充体４内のインクを回転ローラー１の印面に補充できるよう構成する。【選択図】図２
0003143714.tif 000002
【実用新案登録請求の範囲】
【請求項１】
郵便物等の宛名部分やその他の適宜個人情報表示部分の上に適宜スタンプを施すことにより、個人情報を判読し難くするような回転式スタンプ部を構成すると共に、この回転式スタンプ部を筆記具本体の基端部分に設けるようにした回転式スタンプ付筆記具であって、回転式スタンプ部は、多孔質ゴム製の適宜印面をその外周表面に有する回転ローラーと、この回転ローラーの一方の側部或いは両側部に配される滑り止め円板と、回転ローラーと滑り止め円板とを貫通すると共に、筆記具本体の基端がわ部分にその両端部分が装着されて、回転ローラー及び滑り止め円板を正逆回転自在に支持する軸とからなり、筆記具本体の基端寄り内部には、補充体収容空間を形成し、この補充体収容空間には、合成繊維を束ねた中綿、或いはスポンジ等の多孔質素材によってインクが含侵可能となるように形成されるインク補充体を収容し、このインク補充体の先端部分は、回転式スタンプ部の回転ローラーの印面に常時接触すると共に、インク補充体内のインクを回転ローラーの印面に補充できるよう構成したことを特徴とする回転式スタンプ付筆記具。
【請求項２】
前記滑り止め円板の外周部分に複数の小突起部が配設されるようにして、滑り止め円板外周部分の摩擦力が増すように形成したことを特徴とする請求項１記載の回転式スタンプ付筆記具。
【考案の詳細な説明】
【技術分野】
【０００１】
本考案は、例えば、郵便物や、宅配伝票が貼着されている収納箱や、その他個人情報が記載されているような表示部分を含むものを処分（廃棄）する際に、これらの個人情報表示部分（例えば、氏名、住所、会員番号、電話番号等）の上に適宜スタンプを施して、個人情報を判読し難くするようにした回転式スタンプを、適宜筆記具の基端部分に設けてなる回転式スタンプ付筆記具に係り、特に、回転式スタンプのインクの補充が確実に且つ簡単に行え、しかも、回転式スタンプの回転ローラーを確実に且つスムーズに回転せしめられるように工夫した回転式スタンプ付筆記具に関するものである。
【背景技術】
【０００２】
従来、ダイレクトメール等の郵便物や、宅配伝票が貼着されている収納箱や、その他適宜個人情報表示部分があるもの等を処分（廃棄）する際、その個人情報が漏れないように、これらをシュレッダーにかけたり、或いは、その個人情報表示部分を鋏で細かく切断したり、或いは、矩形状のスタンプを個人情報表示部分の上に施して、個人情報を判読し難くしてから処分するようなことが行われてきた。
一方、その用途は異なるが、特許文献１に示すような浸透印付えんぴつキャップが既に開示されており、これは、キャップの先端にローラースタンプを設けたもので、ローラースタンプで所有者名をスタンプしたり、或いは種々の遊び道具として使用できるように案出されたものである。
【０００３】
【特許文献１】実用新案登録第３０８８６９１号(図３、図４参照)
【考案の開示】
【考案が解決しようとする課題】
【０００４】
ところで、前述のような個人情報が漏れないようにする手段に於いて、シュレッダーによる手段は、比較的高価なシュレッダーを必要とする難点があり、また、個人情報表示部分を鋏で細かく切断する手段は、その作業自体が面倒であると共に、切断片の処理も面倒となる難点があり、更に、矩形状のスタンプを利用する手段は、処理が不要な部分にもスタンプを施してしまい易く、インクを無駄にすると共に、無駄なインクで手やその周りを汚してしまうような虞があった。
そして、前述のような浸透印付えんぴつキャップを個人情報が漏れないようにする手段として利用した場合は、インクがローラースタンプへ自動的に供給されるように形成されておらず、スタンプがムラになったり、インクの供給が面倒となったりする難点が推測され、しかも、ローラースタンプの印面が摩耗し易くなり、耐久性が乏しい等の難点も推測される。
【課題を解決するための手段】
【０００５】
しかして、本稿案の回転式スタンプ付筆記具は、前述の如き難点等を解消すると共に、構成簡素で、量産し易く、低廉に提供でき、経済的な回転式スタンプ付筆記具を提供すべく案出されたもので、請求項１記載の回転式スタンプ付筆記具にあっては、郵便物等の宛名部分やその他の適宜個人情報表示部分の上に適宜スタンプを施すことにより、個人情報を判読し難くするような回転式スタンプ部Ａを構成すると共に、この回転式スタンプ部Ａを筆記具本体Ｂの基端部分に設けるようにした回転式スタンプ付筆記具であって、回転式スタンプ部Ａは、多孔質ゴム製の適宜印面をその外周表面に有する回転ローラー１と、この回転ローラー１の一方の側部或いは両側部に配される滑り止め円板３と、回転ローラー１と滑り止め円板３とを貫通すると共に、筆記具本体Ｂの基端がわ部分にその両端部分が装着されて、回転ローラー１及び滑り止め円板３を正逆回転自在に支持する軸２とからなり、筆記具本体Ｂの基端寄り内部には、補充体収容空間６を形成し、この補充体収容空間６には、合成繊維を束ねた中綿、或いはスポンジ等の多孔質素材によってインクが含侵可能となるように形成されるインク補充体４を収容し、このインク補充体４の先端部分は、回転式スタンプ部Ａの回転ローラー１の印面に常時接触すると共に、インク補充体４内のインクを回転ローラー１の印面に補充できるよう構成する手段を採用した。
【０００６】
また、請求項２記載の回転式スタンプ付筆記具にあっては、前記滑り止め円板３の外周部分に複数の小突起部が配設されるようにして、滑り止め円板３外周部分の摩擦力が増すように形成する手段を採用した。
【考案の効果】
【０００７】
従って、本稿案の請求項１記載の回転式スタンプ付筆記具によれば、回転式スタンプ部Ａの回転ローラー１の印面によって、郵便物等の宛名部分やその他の適宜個人情報表示部分の上に適宜スタンプを確実に且つ正確に施せるようになり、使い勝手が良く、個人情報を判読し難くすることが手軽に行えるようになる。
また、回転式スタンプ部Ａを筆記具本体Ｂの基端部分に設けるようにしたので、筆記具本体Ｂを手指で安定的に握り易くなると共に、回転式スタンプ部Ａを所望の位置で正確に転動させることができるようになる。すなわち、不要な部分にスタンプを施してしまうような虞がなくなり、インクを無駄にすることもなく、無駄なインクで手やその周りを汚してしまうような虞もないものとなる。
加えて、筆記具としても利用でき、より便利となる。
しかも、構成が簡素で、量産し易く、低廉で、経済的な回転式スタンプ付筆記具を提供できるようになる。
【０００８】
特に、筆記具本体Ｂの基端寄り内部には、補充体収容空間６を形成し、この補充体収容空間６には、合成繊維を束ねた中綿、或いはスポンジ等の多孔質素材によってインクを含侵可能となるように形成されるインク補充体４を収容し、このインク補充体４の先端部分は、回転式スタンプ部Ａの回転ローラー１の印面に常時接触すると共に、インク補充体４内のインクを回転ローラー１の印面に補充できるよう構成したので、回転ローラー１の印面へのインクの補充が確実に、連続的に、安定的に、且つ自動的に行えるようになり、スタンプがムラになったりする虞のないものとなる。
【０００９】
そして、回転ローラー１の一方の側部或いは両側部に滑り止め円板３を配したので、滑り止め円板３の外周部分が個人情報表示部分の上を滑ることなく転動できるようになり、回転ローラー１を確実に且つスムーズに回転せしめられるようになる。しかも、個人情報表示部分表面に滑り止め円板３の外周部分が当接している状態以上に、回転ローラー１の印面が個人情報表示部分表面に押付けられることがなくなり、回転ローラー１の印面の無駄な変形・摩耗を抑制でき、回転ローラー１の耐久性が向上するようになる。
【００１０】
また、本稿案の請求項２記載の回転式スタンプ付筆記具によれば、滑り止め円板３の外周部分の摩擦力がより増すようになり、回転ローラー１をより確実に且つスムーズに回転せしめられるようになる。
【考案を実施するための最良の形態】
【００１１】
以下、本考案を説明すると、次の通りである。
本考案は、郵便物等の宛名部分やその他の適宜個人情報表示部分の上に適宜スタンプを施すことにより、個人情報を判読し難くするような回転式スタンプ部Ａを構成すると共に、この回転式スタンプ部Ａを筆記具本体Ｂの基端部分に設けるようにした回転式スタンプ付筆記具である。
そして、回転式スタンプ部Ａは、多孔質ゴム製の適宜印面をその外周表面に有する回転ローラー１と、この回転ローラー１の一方の側部或いは両側部に配される滑り止め円板３と、回転ローラー１と滑り止め円板３とを貫通すると共に、筆記具本体Ｂの基端がわ部分にその両端部分が装着されて、回転ローラー１及び滑り止め円板３を正逆回転自在に支持する軸２とからなる。
それから、筆記具本体Ｂの基端寄り内部には、補充体収容空間６を形成し、この補充体収容空間６には、合成繊維を束ねた中綿、或いはスポンジ等の多孔質素材によってインクが含侵可能となるように形成されるインク補充体４を収容し、このインク補充体４の先端部分は、回転式スタンプ部Ａの回転ローラー１の印面に常時接触すると共に、インク補充体４内のインクを回転ローラー１の印面に補充できるよう構成することにより、前記課題を達成するものである。
【実施例】
【００１２】
前記筆記具本体Ｂは、例えば、ボールペン、シャープペンシル、万年筆、サインペン、筆ペン、その他の適宜筆記具として使用できるものが採用され、前記回転式スタンプ部Ａは、筆記具本体Ｂの基端部分に一体的に（或いは、取外し可能に）連設されるように構成されている。
尚、筆記具本体Ｂは、その略円筒状周壁部の基端（上端）に、その上端が比較的大きく開口している膨出状の周壁部分を連設して形成されている。すなわち、膨出状の周壁部分によって、回転式スタンプ部Ａの一部を収容できるようにすると共に、回転式スタンプ部Ａを支持できるように形成されている。
【００１３】
そして、前記回転式スタンプ部Ａは、回転ローラー１と、この回転ローラー１の一方の側部或いは両側部に配される滑り止め円板３と、回転ローラー１と滑り止め円板３とを貫通して、回転ローラー１及び滑り止め円板３を正逆回転自在に支持する軸２とで構成されている。
しかも、回転式スタンプ部Ａは、前記筆記具本体Ｂの膨出状の周壁部分に装着され、回転ローラー１及び滑り止め円板３の一部が、膨出状の周壁部分の上端開口から外方に露出するように配されている。
【００１４】
前記回転ローラー１は、例えば、適宜合成樹脂製の基体部分を略中空円柱状に形成し、この基体部分の外周面に多孔質ゴム製（或いは樹脂製）の適宜印面を備えたシート材等を巻装状に接着して構成されている。
ところで、回転ローラー１の印面は、適宜個人情報表示部分の上にそのスタンプを施したときに、個人情報を判読し難くするようなものが採用され、これは、適宜模様や図形等であっても良いし、適宜キャラクターの図柄等を利用したものであっても良い。
【００１５】
前記軸２は、例えば、適宜金属材や適宜合成樹脂材や適宜複合材等によって構成され、その両端部分を筆記具本体Ｂの膨出状の周壁部分内表面に設けた軸受凹部に夫々収容せしめることで、回転ローラー１及び滑り止め円板３を簡単に且つ安定的に支持できるように形成されている。
【００１６】
前記滑り止め円板３は、例えば、適宜合成樹脂材によって略円板状に形成され、回転ローラー１の基体部分の一方の側部或いは両側部に接着されて、回転ローラー１と共に回転するように形成されている。尚、滑り止め円板３は、回転ローラー１の基体部分の側壁部分を外周がわに延設するように形成したもの（回転ローラー１に一体的に設けられたもの）でも良い。
【００１７】
また、滑り止め円板３は、その外周部分に複数の小突起部を配設するようにして、滑り止め円板３の外周部分の摩擦力が増すように形成しても良い。すなわち、個人情報表示部分の表面が比較的滑り易く形成されているような場合であっても、滑り止め円板３の外周部分が個人情報表示部分の表面を滑ることなく確実に転動できるように形成し、回転ローラー１をより確実に且つスムーズに回転せしめられるよう形成することができる。
尚、滑り止め円板３は、複数の小突起に代えてローレット溝等を設けたものでも良いし、略歯車状に形成したものでも良いし、その他適宜手段を採用できるものである。
【００１８】
加えて、滑り止め円板３の外周部分の外径は、例えば、回転ローラー１の印面部分の外径より僅かに小径となるように形成され、回転ローラー１の印面が必要以上に個人情報表示部分表面に押付けられるのを滑り止め円板３が阻止して、回転ローラー１の印面の無駄な変形・摩耗を抑制できるように形成してある。ひいては、回転ローラー１の耐久性が向上するようにしてある。
【００１９】
前記インク補充体４は、例えば、合成繊維を束ねた中綿、或いはスポンジ等の多孔質素材によって略細長円柱状に形成され、全体的に適宜インクが含侵可能となるように構成されたものが採用されている。そして、このインク補充体４の先端（上端面）部分は、回転式スタンプ部Ａの回転ローラー１の印面に常時接触するように配設されており、含浸されているインクが毛細管現象等によって回転ローラー１の印面に常に補充できるように形成されている。すなわち、回転ローラー１によって連続的にスタンプを施しても、掠れたり、ムラになったりすることがないように形成されている。
【００２０】
図中５は、筆記具本体Ｂの膨出状の周壁部分の上端開口縁部分に着脱自在に装着できるように形成したキャップで、このキャップ５は、例えば、透明な適宜合成樹脂材によって形成され、不使用時に回転ローラー１の一部を覆うことができるように形成されたものである。
尚、キャップ５は、図示例のように筆記具本体Ｂに対して完全に分離できるように形成したものでも良いし、或いは、筆記具本体Ｂに対して揺動自在に形成したものでも良いし、或いは、筆記具本体Ｂの膨出状の周壁部分の上端開口縁部分を開閉自在となるように形成したものでも良いし、その他適宜自由に設定できるものである。
【００２１】
前記補充体収容空間６は、例えば、筆記具本体Ｂの基端寄り内部に凹設されたもので、インク補充体４を安定的に収容・保持できるように形成されると共に、インク補充体４のインクが漏れないように形成されている。
【００２２】
ところで、回転式スタンプ付筆記具の具体的構成、形状、寸法、材質、用途、回転式スタンプ部Ａの具体的構成、形状、寸法、材質、配設位置、筆記具本体Ｂの具体的構成、形状、寸法、材質、回転ローラー１の具体的構成、形状、寸法、材質、軸２の具体的構成、形状、寸法、材質、配設位置、滑り止め円板３の具体的構成、形状、寸法、材質、配設位置、数、インク補充体４の具体的構成、形状、寸法、材質、配設位置、キャップ５の具体的構成、形状、寸法、材質、補充体収容空間６の具体的構成、形状、寸法、配設位置等は、図示例のもの等に限定されることなく適宜自由に設定、変更できるものである。
【図面の簡単な説明】
【００２３】
【図１】本考案の回転式スタンプ付筆記具を例示する一部切欠正面図である。
【図２】本考案の回転式スタンプ付筆記具を例示する一部切欠部分側面図である。
【図３】本考案の回転式スタンプ付筆記具を例示する一部切欠部分正面図である。
【図４】本考案の回転式スタンプ付筆記具の使用例を示す斜視図である。
【符号の説明】
【００２４】
Ａ      回転式スタンプ部
１      回転ローラー
２      軸
３      滑り止め円板
４      インク補充体
５      キャップ
Ｂ      筆記具本体
６      補充体収容空間
【図１】
0003143714.tif 000003
【図２】
0003143714.tif 000004
【図３】
0003143714.tif 000005
【図４】
0003143714.tif 000006